Podtech/llm-jp-corpus-v4-ja_patent huggingface dataset:
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
カートンを形成する方法であって、
第１の折り曲げ線で折り曲げ可能に接続されている強化取っ手部分と、取っ手要素と第１の取っ手部分とを含み、該第１の取っ手部分が該強化取っ手部分と該取っ手要素との間に配置されている、第１の上部パネルと、第２の折り曲げ線で該第１の上部パネルに折り曲げ可能に接続されている第１の側部パネルと、底部パネルと、第２の側部パネルと、第２の上部パネルとを含むカートンブランクを設けるステップと、
該第１の上部パネルの該強化取っ手部分が該第１の上部パネルの第１の取っ手部分に重なるように該第１の上部パネルの強化取っ手部分を該第１の折り曲げ線で折り曲げるステップと、
該強化取っ手部分を該第１の取っ手部分に接着するステップと、
該第２の上部パネルが前記第１の上部パネルに重なるように、前記ブランクを折り曲げるステップと、
該第２の上部パネルを前記第１の上部パネルに接着するステップと、
カートンの端部を少なくとも部分的に閉じるステップと、
を含む、方法。
【請求項２】
前記強化取っ手部分の裏面は、前記第１の取っ手部分の裏面に接着される、請求項１に記載の方法。
【請求項３】
前記第２の上部パネルは、第２の取っ手部分を含み、前記第２の上部パネルを前記第１の上部パネルに接着するステップは、前記第２の取っ手部分を前記第１の取っ手部分に接着するステップを含み、前記強化取っ手部分と前記第１の取っ手部分と前記第２の取っ手部分とが互いに重なりあう、請求項１に記載の方法。
【請求項４】
前記第２の上部パネルの裏面は、前記第１の上部パネルの上部表面に接着される、請求項１に記載の方法。
【請求項５】
前記ブランクは、前記第２の上部パネル内に一対の取っ手要素をさらに含み、前記第２の取っ手部分は、前記一対の取っ手要素の間に位置し、前記側部パネルの少なくとも一方において少なくとも一つの取り出し口部分を画定する、少なくとも１つの取り出し口パターンを前記ブランクが含む請求項１に記載の方法。
【請求項６】
前記カートンの端部が少なくとも部分的に閉じる前に、前記ブランクを略管状構造に形成するステップと、前記略管状構造内に複数の容器を装填するステップとをさらに含む、請求項１に記載の方法。
【請求項７】
前記ブランクは、
前記底部パネルに折り曲げ可能に接続された一対の底端部フラップと、
それぞれの側部パネルに接続された複数の側端部フラップと、をさらに含む請求項６に記載の方法。
【請求項８】
前記ブランクは、
前記第１の上部パネルに折り曲げ可能に接続された一対の第１の上端部フラップと、
前記第２の上部パネルに折り曲げ可能に接続された一対の第２の上端部フラップと、を含む、請求項７に記載の方法。
【請求項９】
複数の容器を内部に含むカートンであって、
第２の上部パネルに重ねて接着された第１の上部パネルを含み、取っ手要素が第１の上部パネル内に規定されている、上部パネルと、
第１の側部パネルと、
底部パネルと、
第２の側部パネルと、
第１の端部パネルと、
第２の端部パネルと、を含み、
前記上部パネル内に多層取っ手が形成され、前記多層取っ手は、前記第１および第２の上部パネルから形成された板紙の少なくとも３つの重なった層を含み、前記多層取っ手のうちの２つの層は、前記第１の上部パネルの第１の取っ手部分に重ねて接着された前記第１の上部パネルの強化取っ手部分から成り、前記第１の取っ手部分が前記強化取っ手部分と取っ手要素とに隣接して配置されている、カートン。
【請求項１０】
前記第１の取っ手部分および前記強化取っ手部分は、細長い形状とされており、前記強化取っ手部分の裏面は、前記第１の取っ手部分の裏面に接着される、請求項９に記載のカートン。
【請求項１１】
前記第２の上部パネルは、前記第１の取っ手部分に接着された第２の取っ手部分を含み、前記第２の取っ手部分は、前記多層取っ手の第３の層を形成する、請求項９に記載のカートン。
【請求項１２】
前記強化取っ手部分、前記第１の取っ手部分、および前記第２の取っ手部分は、互いに重なり合う、請求項１１に記載のカートン。
【請求項１３】
前記第２の上部パネル内に一対の取っ手要素をさらに含み、前記第２の取っ手部分は、前記一対の取っ手要素の間に位置する、請求項１１に記載のカートン。
【請求項１４】
前記取っ手要素から外側に延在する複数の分断線を前記第１の上部パネル内にさらに含み、前記側部パネルのうちの少なくとも１つに少なくとも１つの取り出し口部分を画定する、少なくとも１つの取り出し口パターンをさらに含む、請求項９に記載のカートン。
【請求項１５】
前記第１の端部パネルは、
前記底部パネルに接続された第１の底部端部フラップと、
少なくとも１つの第１の側端部フラップと、
第１の上端部フラップと、を含む請求項９に記載のカートン。
【請求項１６】
カートンブランクであって、
第１の取っ手部分と、該第１の取っ手部分に隣接して配置されている取っ手要素と、該第１の取っ手部分に折り曲げ可能に接続されている強化取っ手部分とを含む、第１の上部パネルと、
前記第１の上部パネルに折り曲げ可能に接続された第１の側部パネルと、
底部パネルと、
第２の取っ手部分を含む第２の上部パネルと
該第２の上部パネルに折り曲げ可能に接続された第２の側部パネルと、を含み、
前記第２の取っ手部分は、前記ブランクがカートンに組み立てられたときに、前記第１の取っ手部分に重なるように、前記第２の上部パネルに配置される、カートンブランク。
【請求項１７】
前記第１の取っ手部分は、前記強化取っ手部分と前記取っ手要素との間に位置する、請求項１６に記載のカートンブランク。
【請求項１８】
前記ブランクは、前記第２の上部パネル内に一対の取っ手要素をさらに含み、前記第２の取っ手部分は、前記一対の取っ手要素の間に位置する、請求項１７に記載のカートンブランク。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
遊離塩基としての、下記式
【化１】
2009528271.tif 000001
で表される２−［６−（メチルアミノ）ピリジン−３−イル］−１,３−ベンゾチアゾール−６−オールの化合物、又は薬学的に許容されるその塩、溶媒和物、若しくはその塩の溶媒和物。
上記式中、１個又はそれ以上の原子は、場合により検出可能な同位体である。
【請求項２】
１〜３個の原子が、3Ｈ、19Ｆ及び13Ｃから選択される検出可能な同位体を表し、又はその原子の内の１個が18Ｆ、11Ｃ及び14Ｃから選択される検出可能な同位体である、請求項１に記載の化合物。
【請求項３】
該放射性標識化原子が3Ｈ、18Ｆ、19Ｆ、11Ｃ、13Ｃ、14Ｃ、75Ｂｒ、76Ｂｒ、120Ｉ、123Ｉ、125Ｉ及び131Ｉから選択される、請求項１又は２に記載の化合物。
【請求項４】
該放射性標識化原子が18Ｆ及び11Ｃから選択される、請求項１又は２に記載の化合物。
【請求項５】
下記式
【化２】
2009528271.tif 000002
で表される５−（６−｛［ｔｅｒｔ−ブチル（ジメチル）シリル］オキシ｝−１,３−ベンゾチアゾール−２−イル）ピリジン−２−アミンの化合物。
【請求項６】
請求項１〜４のいずれか１項に記載の標識化化合物の製造方法における合成用前駆体としての請求項５に記載の化合物の使用であって、ここで検出可能な同位体は3Ｈである、上記使用。
【請求項７】
請求項１〜４のいずれか１項に記載の化合物を薬学的に許容される担体と共に含む医薬組成物。
【請求項８】
請求項１〜４のいずれか１項に記載の放射性標識化化合物を薬学的に許容される担体と共に含む、アミロイド沈着物の生体内画像化のための医薬組成物。
【請求項９】
被検者のアミロイド沈着物を測定するための請求項１〜４のいずれか１項に記載の化合物の使用であって、
（ａ）請求項７に記載の医薬組成物の検出可能量を投与し；そして
（ｂ）被検者におけるアミロイド沈着物への該化合物の結合を検出する；
工程を含む上記使用。
【請求項１０】
検出がガンマ線画像化、磁気共鳴画像化又は磁気共鳴分光法によって行われる、請求項９に記載の使用。
【請求項１１】
被検者がアルツハイマー病、家族性アルツハイマー病、ダウン症候群及びアポリポ蛋白質Ｅ４アレルの同型接合体からなる群から選択される疾患又は症候群を罹患していることが疑われる、請求項９又は１０に記載の使用。
【請求項１２】
アルツハイマー病を罹患していることが疑われる、請求項９又は１０に記載の使用。
【請求項１３】
治療に用いるための、請求項１〜４のいずれか１項に定義される化合物。
【請求項１４】
アルツハイマー病、家族性アルツハイマー病、統合失調症認知障害（ＣＤＳ）、ダウン症候群及びアポリポ蛋白質Ｅ４アレルの同型接合体の予防又は治療用薬剤の製造における、請求項１〜４のいずれか１項に記載の化合物の使用。
【請求項１５】
アルツハイマー病の予防又は治療用薬剤の製造における、請求項１〜４のいずれか１項に記載の化合物の使用。
【請求項１６】
統合失調症認知障害（ＣＤＳ）の予防又は治療用薬剤の製造における、請求項１〜４のいずれか１項に記載の化合物の使用。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
患者における脳卒中を治療するための組成物であって、低酸素誘導因子（HIF）ヒドロキシラーゼ活性を阻害する薬剤の有効量を含み、脳卒中を虚血性脳卒中または出血性脳卒中と診断する前に投与される、前記組成物。
【請求項２】
前記患者が糖尿病にかかっている、請求項１に記載の組成物。
【請求項３】
前記薬剤が2-オキソグルタル酸ミメティックである、請求項１に記載の組成物。
【請求項４】
患者における脳卒中に伴う脳組織損傷を治療または改善するための組成物であって、低酸素誘導因子（HIF）ヒドロキシラーゼ活性を阻害する薬剤の有効量を含む、前記組成物。
【請求項５】
前記脳組織損傷が梗塞体積である、請求項４に記載の組成物。
【請求項６】
前記脳組織損傷が浮腫である、請求項４に記載の組成物。
【請求項７】
前記脳組織損傷が病変である、請求項４に記載の組成物。
【請求項８】
前記脳組織損傷が神経変性である、請求項４に記載の組成物。
【請求項９】
前記脳組織損傷が脳組織の欠損である、請求項４に記載の組成物。
【請求項１０】
前記患者が糖尿病にかかっている、請求項４に記載の組成物。
【請求項１１】
前記薬剤が2-オキソグルタル酸ミメティックである、請求項４に記載の組成物。
【請求項１２】
患者における脳卒中に伴う脳組織損傷を治療または改善するための組成物であって、低酸素誘導因子（HIF）ヒドロキシラーゼ活性を阻害する薬剤の有効量を含み、脳卒中発症の時点から３時間を越えた後に投与される、前記組成物。
【請求項１３】
脳卒中を起こした患者における感覚運動機能を改善または回復するための組成物であって、低酸素誘導因子（HIF）ヒドロキシラーゼ活性を阻害する薬剤の有効量を含む、前記組成物。
【請求項１４】
脳卒中を起こした患者における神経筋機能を改善または回復するための組成物であって、低酸素誘導因子（HIF）ヒドロキシラーゼ活性を阻害する薬剤の有効量を含む、前記組成物。
【請求項１５】
脳卒中を起こしたと診断された患者または脳卒中を起こした疑いのある患者を治療するための組成物であって、HIFαを安定化する薬剤の有効量を含む、前記組成物。
【請求項１６】
前記患者が、虚血性脳卒中を起こしたと診断されている、または虚血性脳卒中を起こした疑いがある、請求項１５に記載の組成物。
【請求項１７】
前記患者が、出血性脳卒中を起こしたと診断されている、または出血性脳卒中を起こした疑いがある、請求項１５に記載の組成物。
【請求項１８】
脳卒中発症から３時間を越えた後に投与される、請求項１〜１７のいずれか１項に記載の組成物。
【請求項１９】
脳卒中発症から少なくとも５時間後に投与される、請求項１〜１８のいずれか１項に記載の組成物。
【請求項２０】
１種または複数の他の治療薬とともに投与される、請求項１〜１９のいずれか１項に記載の組成物。
【請求項２１】
１種または複数の治療薬が、血栓溶解薬、線維素溶解薬、血小板凝集抑制薬、抗血液凝固薬、降圧薬、ACE阻害薬、ARB、β遮断薬、カスケードチャネル遮断薬、神経保護薬、利尿薬、スタチン、およびトロンビン阻害薬からなる群から選択される、請求項２０に記載の組成物。
【請求項２２】
１種または複数の治療薬がtPAである、請求項２１に記載の組成物。
【請求項２３】
１種または複数の治療薬が、HIFαを安定化する薬剤の投与後に投与される、請求項２０に記載の組成物。
【請求項２４】
前記患者がヒト患者である、請求項１〜２３のいずれか１項に記載の組成物。
【請求項２５】
前記脳卒中が虚血性脳卒中である、請求項１〜２４のいずれか１項に記載の組成物。
【請求項２６】
前記脳卒中が出血性脳卒中である、請求項１〜２５のいずれか１項に記載の組成物。
【請求項２７】
虚血性疾患と診断された、または虚血性疾患の疑いのある患者を治療するための組成物であって、HIFαを安定化する薬剤の有効量を含む、前記組成物。
【請求項２８】
患者における、すでに存在する虚血性障害を治療する、および／または、更なる虚血性障害を予防するための組成物であって、HIFαを安定化する薬剤の有効量を含む、前記組成物。
【請求項２９】
患者における虚血性障害を最小限にするための組成物であって、HIFαを安定化する薬剤の有効量を含む、前記組成物。
【請求項３０】
虚血性障害が神経損傷である、請求項２８または２９に記載の組成物。
【請求項３１】
虚血性疾患の治療のために治療効果のある時間枠を広げるための組成物であって、HIFαを安定化する薬剤の有効量を含む、前記組成物。
【請求項３２】
前記虚血性疾患が脳卒中である、請求項２７〜３１のいずれか１項に記載の組成物。
【請求項３３】
前記虚血性疾患が、脳卒中でないイベントに起因する障害である、請求項２７〜３１のいずれか１項に記載の組成物。
【請求項３４】
前記虚血性疾患が、心虚血、脳血管虚血、末梢血管虚血、および腎虚血からなる群から選択される、請求項２７〜３１のいずれか１項に記載の組成物。
【請求項３５】
患者における梗塞体積を最小限にするための組成物であって、HIFαを安定化する薬剤の有効量を含む、前記組成物。
【請求項３６】
前記虚血性障害が、脳内の閉塞に起因する、請求項２９に記載の組成物。
【請求項３７】
前記閉塞が脳卒中に起因する、請求項３６に記載の組成物。
【請求項３８】
前記閉塞が、脳卒中でない虚血性イベントに起因する、請求項３６に記載の組成物。
【請求項３９】
患者における機能障害を最小限にするための組成物であって、HIFαを安定化する薬剤の有効量を含む、前記組成物。
【請求項４０】
患者における機能的能力を回復するための組成物であって、HIFαを安定化する薬剤の有効量を含む、前記組成物。
【請求項４１】
患者における神経保護因子を脳特異的に誘導するための組成物であって、HIFαを安定化する薬剤の有効量を含む、前記組成物。
【請求項４２】
患者における脳卒中に関連する脳浮腫を減少させるための組成物であって、HIFαを安定化する薬剤の有効量を含む、前記組成物。
【請求項４３】
患者における血栓溶解因子の内因性発現をアップレギュレートするための組成物であって、HIFαを安定化する薬剤の有効量を含む、前記組成物。
【請求項４４】
患者における線維素溶解因子の内因性発現をアップレギュレートするための組成物であって、HIFαを安定化する薬剤の有効量を含む、前記組成物。
【請求項４５】
患者における前駆細胞を局所的に刺激するための組成物であって、HIFαを安定化する薬剤の有効量を含む、前記組成物。
【請求項４６】
前記前駆細胞が、アストロサイト、内皮細胞、神経細胞、グリア細胞、ミクログリア細胞などからなる群から選択される細胞型に分化する、請求項４５に記載の組成物。
【請求項４７】
感覚運動の回復を促進するための組成物であって、HIFαを安定化する薬剤の有効量を含む、前記組成物。
【請求項４８】
前記薬剤が、HIFプロリルヒドロキシラーゼを阻害する化合物である、請求項１〜４７のいずれか１項に記載の組成物。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
血友病を治療する方法における、ＦＶ変異体の活性型或いはその誘導体の使用であって、前記ＦＶ変異体の活性型或いはその誘導体は、患者における血栓形成を増強し、先天性及び遺伝性出血疾患の症状を軽減するものである、使用。
【請求項２】
請求項１記載の使用において、前記誘導体は、ＦＶ−８１０；アミノ酸８１１−１４９１を欠損した第Ｖ因子、ＦＶ−８５９；アミノ酸８６０−１４９１を欠損した第Ｖ因子、ＦＶ−８６６；アミノ酸８６７−１４９１を欠損した第Ｖ因子、ＦＶ−９０２；アミノ酸９０３−１４９１を欠損した第Ｖ因子、ＦＶ−９２４；アミノ酸９２３−１４９１を欠損した第Ｖ因子、ＦＶ−９３７；アミノ酸９３８−１４９１を欠損した第Ｖ因子、ＦＶ−９５６；アミノ酸９５７−１４９１を欠損した第Ｖ因子、ＦＶ−１０３３−Ｂ５８−ｓ１３１；第ＶＩＩＩ因子のアミノ酸９０７−１０３７と変換されたアミノ酸９００−１０３０を有するアミノ酸１０３４−１４９１を欠損した第Ｖ因子、ＦＶ−１０３３−Ｂ５８−ｓ１０４；第ＶＩＩＩ因子のアミノ酸９７２−１０７５と変換されたアミノ酸９０４−１００７を有するアミノ酸１０３４−１４９１を欠損した第Ｖ因子、及びＦＶ−１０３３−Ｂ５８−ｓ４６；第ＶＩＩＩ因子のアミノ酸１０３２−１０７７と変換されたアミノ酸９６３−１００８を有するアミノ酸１０３４−１４９１を欠損した第Ｖ因子から成る群から選択されるものであることを特徴とする、使用。
【請求項３】
請求項１記載の使用において、前記ＦＶの活性型或いはその誘導体は、ベクター内において核酸によってコードされているものであることを特徴とする、使用。
【請求項４】
請求項１記載の使用において、前記変異体はプロ凝固因子であり、前記疾患は、血友病Ａ及びＢ、阻害抗体に関連した血友病Ａ及びＢ、凝固因子欠損、ビタミンＫエポキシド還元酵素Ｃ１欠損、ガンマ−カルボキシラーゼ欠損、外傷、傷害、血栓、血小板減少症、脳卒中、凝固障害、播種性血管内凝固（ＤＩＣ）に関連した出血、過剰抗凝固治療疾患、ベルナールスーリエ症候群、グランツマン血小板無力症、及び貯蔵プール欠乏症から成る群から選択されるものであることを特徴とする、使用。
【請求項５】
請求項４記載の使用において、前記過剰抗凝固治療疾患は、ヘパリン、低分子量ヘパリン、五糖類、ワルファリン、小分子抗血栓性、及びＦＸａ阻害剤の投与に起因するものであることを特徴とする、使用。
【請求項６】
請求項１記載の使用において、前記変異体は、約１０〜５００μｇ／ｋｇの用量で少なくとも１日１回静脈内に投与されるものであることを特徴とする、使用。
【請求項７】
ＦＶの活性型をコードする単離核酸分子であって、前記ＦＶの活性型はＦＶ−８５９、ＦＶ−８６６、ＦＶ−９２４及びＦＶ−９３７から成る群から選択されるものである、単離核酸分子。
【請求項８】
ＦＶの単離活性型であって、前記ＦＶの活性型は、請求項７記載の核酸分子によってコードされているものである、ＦＶの単離活性型。
【請求項９】
ＦＶの活性型をコードする単離核酸分子であって、前記ＦＶの活性型の５０６、３０６及び６７９位で少なくとも１つのアルギニン残基は、アルギニン以外のアミノ酸で置換されているものである、単離核酸分子。
【請求項１０】
請求項９記載の核酸分子において、前記アルギニン残基はグルタミンで置換されているものであることを特徴とする、核酸分子。
【請求項１１】
請求項９記載の核酸分子において、前記ＦＶの活性型は、ＦＶ−８１０；ＦＶ−８５９；ＦＶ−８６６；ＦＶ−９０２；ＦＶ−９２４；ＦＶ−９３７；ＦＶ−１０３３−Ｂ５８−ｓ１３１；ＦＶ−１０３３−Ｂ５８−ｓ１０４及びＦＶ−１０３３−Ｂ５８−ｓ４６から成る群から選択されるものであることを特徴とする、核酸分子。
【請求項１２】
ＦＶの単離活性型であって、前記ＦＶの活性型は、請求項９若しくは１１記載の核酸分子によってコードされているものである、ＦＶの単離活性型。
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
式Ｉを有する化合物であって、
【化１】
2009528291.tif 000001
式Ｉ
式中、ＪはＨ又はＯＨであり、
ＬはＨ又はＯＨであり、
Ｊ及びＬの少なくとも１つはＨであり、
Ｊ及びＬの少なくとも１つはＯＨであり、
Ｒ１は炭素１〜６個のアルカン、炭素２〜６個のアルケン及びメチルで置換されていてもよいフェニルからなる群から選択され、
但し、Ｒ１は３−メチルブチルではなく、
ＪがＯＨであるとき、Ｒ１は３−メチル−２−ブテニルではなく、
ＬがＯＨであるとき、Ｒ１はｎ−プロピルではない化合物。
【請求項２】
ＪがＯＨであり、ＬがＨであり、
Ｒ１が、炭素５〜６個のアルカン、炭素５〜６個のアルケン、及びメチルで置換されていてもよいフェニルからなる群から選択されＲ１が３−メチル−３−ブテニル（Ｏｘｙ１３）、４−メチルペンチル（Ｏｘｙ１２）、及び３−メチルフェニル（Ｏｘｙ１１）からなる群から選択される、請求項１に記載の化合物。
【請求項３】
ＪがＨであり、ＬがＯＨであり、
Ｒ１が炭素１〜６個のアルカンであり、Ｒ１がメチル（Ｏｘｙ４）、エチル（Ｏｘｙ３）、４−メチルペンチル（Ｏｘｙ７）、及びｎ−ブチル（Ｏｘｙ９）からなる群より選択される、請求項１に記載の化合物。
【請求項４】
式Ｉの化合物
【化２】
2009528291.tif 000002
式Ｉ
（式中、ＪはＨ又はＯＨであり、
ＬはＨ又はＯＨであり、
Ｊ及びＬの少なくとも１つはＯＨであり、
Ｒ１は炭素１〜６個のアルカン、炭素２〜６個のアルケン、及びメチルによって置換されていてもよいフェニルからなる群から選択され、
但し、Ｊ及びＬの１つがＨであるとき、Ｒ１は３−メチルブチルではない）
と薬学的に許容される担体とを含む医薬組成物。
【請求項５】
ＪがＯＨであり、ＬがＨである、請求項４に記載の医薬組成物。
【請求項６】
Ｒ１が、炭素５〜６個のアルカン、炭素５〜６個のアルケン、及びメチルで置換されていてもよいフェニルからなる群から選択され、Ｒ１が３−メチルフェニル、４−メチルフェニル、３−メチル−３−ブテニル及び３−メチル−２−ブテニルからなる群から選択される、請求項５に記載の医薬組成物。
【請求項７】
式中Ｒ１が３−メチル−２−ブテニルではない、請求項６に記載の医薬組成物。
【請求項８】
ＪがＨであり、ＬがＯＨである、請求項４に記載の医薬組成物。
【請求項９】
Ｒ１が炭素１〜６個のアルカン、Ｒ１がメチル、エチル、ｎ−ブチル、及び４−メチルペンチルからなる群から選択される、請求項８に記載の医薬組成物。
【請求項１０】
ＪがＯＨであり、ＬがＯＨである、請求項４に記載の医薬組成物。
【請求項１１】
Ｒ１が炭素１〜６個のアルカンであり、Ｒ１が３−メチルブチルである、請求項１０に記載の医薬組成物。
【請求項１２】
Ｏｘｙ３、Ｏｘｙ４、Ｏｘｙ７、Ｏｘｙ９、Ｏｘｙ１１、Ｏｘｙ１２、Ｏｘｙ１３、Ｏｘｙ１４及びＯｘｙ１５の少なくとも２つを含む医薬組成物。
【請求項１３】
２０（Ｓ）−ヒドロキシコレステロール、２２（Ｓ）−ヒドロキシコレステロール、又は２２（Ｒ）−ヒドロキシコレステロールの少なくとも１つをさらに含む、請求項４又は請求項１２に記載の医薬組成物。
【請求項１４】
副甲状腺ホルモン、フッ化ナトリウム、インスリン様増殖因子Ｉ（ＩＬＧＦ−１）、インスリン様増殖因子II（ＩＬＧＦ−II）、トランスフォーミング成長因子ベータ（ＴＧＦ−β）、チトクロームＰ４５０阻害剤、ホスホリパーゼ活性化剤、アラキドン酸、ＣＯＸ酵素活性化剤、骨形成プロスタノイド、ＥＲＫ活性化剤、ＢＭＰ２、４、７及び１４からなる群から選択される少なくとも１つの追加の作用物質をさらに含む、請求項４、１２又は１３のいずれかに記載の医薬組成物。
【請求項１５】
骨折若しくは骨粗鬆症の対象又は骨の炎症、肥満、癌、神経障害、脱毛症、心血管障害、若しくは骨関節炎に罹患した対象を治療するための医薬品の製造におけるＯｘｙ３、Ｏｘｙ４、Ｏｘｙ７、Ｏｘｙ１１、Ｏｘｙ１２、Ｏｘｙ１３、Ｏｘｙ１４又はＯｘｙ１５を含む組成物の使用。
【請求項１６】
骨芽細胞への骨髄間質細胞の分化を増大させるために対象を治療するための医薬品の製造における、Ｏｘｙ７、Ｏｘｙ９、Ｏｘｙ１１、Ｏｘｙ１２、Ｏｘｙ１３、Ｏｘｙ１４又はＯｘｙ１５を含む組成物の使用。
【請求項１７】
対象において骨形成を誘導するための医薬品の製造におけるＯｘｙ７、Ｏｘｙ９、Ｏｘｙ１１、Ｏｘｙ１２、Ｏｘｙ１３、Ｏｘｙ１４又はＯｘｙ１５の少なくとも１つを含む組成物の使用。
【請求項１８】
表面を有する基質を含む、ヒト体内で使用するための移植片であって、前記移植片の少なくとも表面が、周囲の骨組織において骨形成を誘導するのに十分な量の、Ｏｘｙ７、Ｏｘｙ９、Ｏｘｙ１１、Ｏｘｙ１２、Ｏｘｙ１３、Ｏｘｙ１４又はＯｘｙ１５の少なくとも１つを含む医薬組成物を含む移植片であって、前記基質が、ピン、ねじ、プレート又は人工関節の形状に形成される移植片。
【請求項１９】
哺乳動物間葉幹細胞の脂肪細胞分化をインビトロで阻害する方法であって、Ｏｘｙ１１、Ｏｘｙ１２、Ｏｘｙ１３、Ｏｘｙ１４又はＯｘｙ１５を含む医薬組成物の有効量と間葉幹細胞を接触させるステップを含む方法。
【請求項２０】
創傷治癒、血管新生、骨形態形成若しくは骨増殖の増加、体重減少、増毛、軟骨産生の促進を必要とする対象、又は神経障害に罹患した対象を治療するための医薬品の製造におけるＯｘｙ７、Ｏｘｙ９、Ｏｘｙ１１、Ｏｘｙ１２、Ｏｘｙ１３、Ｏｘｙ１４又はＯｘｙ１５を含む組成物の使用。
【請求項２１】
インビトロアッセイでヘッジホッグ経路媒介活性の調節因子を同定する方法であって、Ｇｌｉ１プロモーターの活性を刺激する能力について候補となるオキシステロールをスクリーニングするステップを含む方法。
【手続補正書】
【提出日】平成22年1月29日(2010.1.29)
【手続補正１】
【補正対象書類名】特許請求の範囲
【補正対象項目名】請求項１
【補正方法】変更
【補正の内容】
【請求項１】
フォトニック結晶光ファイバを作成する方法において、
複数の孔及び外周を有するプリフォームであって、前記孔が該プリフォームの第１の端面から該プリフォームの第２の端面まで貫通している、プリフォームを提供する工程、
径方向に内側に延びる少なくとも１つのスロットを、該少なくとも１つのスロットが前記孔の少なくともいくつかと交差し、しかも該少なくとも１つのスロットが前記孔の少なくとも１つとは交差しないように、前記プリフォーム内に形成する工程、
前記少なくとも１つのスロットに第１の圧力を導入することによって、前記少なくとも１つのスロットが交差している前記孔内に前記第１の圧力を確立する工程、
前記少なくとも１つのスロットが交差していない前記少なくとも１つの孔の一端に第２の圧力を導入することによって、前記少なくとも１つのスロットが交差していない前記少なくとも１つの孔内に前記第２の圧力を確立する工程、及び
前記第１の圧力及び前記第２の圧力を独立に制御しながら、前記プリフォームをファイバに線引きする工程、
を有してなる方法。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
ガラス部品（１０、２０、３０）にゲッター材料の層（１２、２２）を形成する方法であって、以下の工程：
・  チタン、ジルコニウム、ニオブ、若しくはタンタル、または一以上の遷移金属、希土    類、若しくはアルミニウムを伴うジルコニウム若しくはチタンをベースとする合金の    中から選択されるゲッター材料の粉末（１１、２１）をガラス部品と接触させ、そこ    で前記層を形成することが意図されること；
・  ガラス（３０）と直接接触する粉末の粒子（３１）を、該ガラスを介して該粒子に届    くレーザー放射で該ガラスと直接接触する粒子に放射することによって、該粒子の溶    融温度より低いが該ガラスの軟化温度より高い温度で加熱すること；
・  前の工程の間に軟化または溶融されたガラス部分の範囲（３２）を再び固化するまで    システムを冷却すること；および
・  ガラスと直接接触せず、且つレーザーで放射されないことのある粉末粒子を除去する    こと、
を含み、前記ガラス部品と接触するゲッター粉末がほぐれた粉末であることを特徴とする方法。
【請求項２】
前記ガラス部品が平坦である、請求項１に記載の方法。
【請求項３】
前記ガラス部品（２０）が、頂部が開口しており該ガラス部品を受け入れるために十分な範囲を有する容器（２３）に挿入された粉末（２１）のベッドに横たえられる、請求項２に記載の方法。
【請求項４】
粉末を加熱する工程が、焦点はずれのレーザーによって行われる、請求項１に記載の方法。
【請求項５】
粉末を加熱する工程が、ゲッター層が形成されることが望まれるガラスの範囲に対応するゲッター粒子を含む範囲を前記レーザー放射で走査することによって行われる、請求項１に記載の方法。
【請求項６】
前記工程が、ゲッター粒子が約３００℃より高い温度にある全時間の間、真空下または不活性ガス雰囲気で行われる、請求項１に記載の方法。
【請求項７】
前記ゲッター材料が、チタン、ジルコニウム、ニオブ、タンタル、質量組成Ｚｒ８４％−Ａｌ１６％の合金、質量組成Ｚｒ７６．５％−Ｆｅ２３．５％の合金、質量組成Ｚｒ７０％−Ｆｅ５．４％−Ｖ２４．６％の合金、および質量組成Ｚｒ８０％−Ｃｏ１５％−Ａ５％の合金、ここでＡは一以上の希土類金属を意味する、の中から選択される、請求項１に記載の方法。
【請求項８】
前記ゲッター材料粉末の粒子が、数百マイクロメートルのオーダーのサイズである、請求項１に記載の方法。
【請求項９】
前記ゲッター材料粉末の粒子が、１０μｍ未満のサイズである、請求項１に記載の方法。
【請求項１０】
レーザー源がパイロメーターを有するフィードバック制御システムを通じて制御され、ゲッター粒子が前もってセットされた値を超える温度に至らないように放射時間が調節される条件を実現する、請求項１に記載の方法。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
（ａ）亜塩素酸金属塩；
（ｂ）前記亜塩素酸金属塩と酸供給源とを反応させて、水中で二酸化塩素を形成し、そして二酸化塩素混合物を形成させるための当該酸供給源；及び
（ｃ）前記二酸化塩素液混合物の腐食性を低減するために有効な量のリン酸塩（但し、前記酸供給源が酸性リン酸塩の場合、この酸性リン酸塩は、亜塩素酸金属塩と反応して二酸化塩素を形成すると共に、前記有効な量を供給するのに十分な量で存在する。）、
を含むことを特徴とする二酸化塩素液混合物を製造するために使用される二酸化塩素形成混合物。
【請求項２】
前記酸供給源が、リン酸又はその塩以外のものであることを特徴とする請求項１に記載の混合物。
【請求項３】
リン酸塩が、リン酸アニオン、錯体リン酸アニオン、及び有機エステルを含むリン酸塩から成る群から選ばれることを特徴とする請求項１に記載の混合物。
【請求項４】
リン酸塩がリン酸アニオンであることを特徴とする請求項１に記載の混合物。
【請求項５】
前記二酸化塩素液混合物中のリン酸塩の塩素に対する質量比が、０．４を超えることを特徴とする請求項１に記載の混合物。
【請求項６】
水中の二酸化塩素、及び液混合物の腐食性低減に有効な量のリン酸塩、任意に遊離ハロゲン供給源及び任意に界面活性剤を含むことを特徴とする二酸化塩素液混合物。
【請求項７】
リン酸塩が、前記液混合物の約０．１ｐｐｍ〜９５％の範囲で存在することを特徴とする請求項６に記載の液混合物。
【請求項８】
ｐＨが、約２．５を超え１２．５未満であることを特徴とする請求項６に記載の液混合物。
【請求項９】
金属性物体を請求項６に記載の液混合物に接触させる工程を含むことを特徴とする金属性物体を洗浄及び消毒する方法。
【請求項１０】
液混合物が、二酸化塩素生成成分を含む固体物から形成され、前記固体物が、任意に前記リン酸塩を含むことを特徴とする請求項９に記載の方法。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
歯垢及び歯石の除去及び抑制用の組成物であって、
ａ）純粋アスコルビン酸と、
ｂ）エナメル質補修構成要素とを含む組成物。
【請求項２】
前記エナメル質補修構成要素がヒドロキシアパタイトである、請求項１に記載の組成物。
【請求項３】
前記ヒドロキシアパタイトが、前記純粋アスコルビン酸によって引き起こされた歯の損傷を補修する、請求項２に記載の組成物。
【請求項４】
前記ヒドロキシアパタイトが、０．３〜１．０重量％の量である、請求項２に記載の組成物。
【請求項５】
ａ）燐酸三カルシウム、
ｂ）メントール粉末、
ｃ）クエン酸亜鉛、
ｄ）過酸化炭酸ナトリウム、
ｅ）含水シリカ、
ｆ）サッカリンナトリウム、
ｇ）フッ化物
ｈ）香味料、及びそれらの組み合わせから成る群から選択された成分をさらに含む、請求項１に記載の組成物。
【請求項６】
前記組成物が、歯磨き粉、無水練り歯磨き及びチューイングガムのいずれか１つの形態である、請求項１に記載の組成物。
【請求項７】
前記組成物がさらに水を含有する、請求項１に記載の組成物。
【請求項８】
前記ヒドロキシアパタイトは０．５重量％までの分量で含まれる、請求項７に記載の組成物。
【請求項９】
前記組成物は口腔洗浄剤及び口腔スプレーのいずれか一方の形態にある、請求項７に記載の組成物。
【請求項１０】
前記組成物がさらにアルコールを含有する、請求項１に記載の組成物。
【請求項１１】
前記組成物は口腔洗浄剤及び口腔スプレーのいずれか一方の形態にある、請求項１０に記載の組成物。
【請求項１２】
前記純粋アスコルビン酸は結晶の形態及び顆粒の形態のうちの少なくとも一方にある、請求項１に記載の組成物。
【手続補正２】
【補正対象書類名】明細書
【補正対象項目名】００１０
【補正方法】変更
【補正の内容】
【００１０】
本発明の最も効率的な形態は、１０％から９０％までのアスコルビン酸結晶及び顆粒もしくはその一方を含有する歯磨き粉である。しかしながら本発明は、約１０〜４０％のアスコルビン酸を含有する水溶液及びアルコール性水溶液として液体形態で用いることができる。本発明は、甘味料、香味料及び着色料のような追加的成分を含有することができ、様々な状況において広範な消費者を対象とするために、練り歯磨き、チューイングガム、アルコール入り及び無アルコールの口腔洗浄剤、並びに口腔スプレーのような様々な商品に使用することができる。
また、本発明のさらなる実施形態によると、本発明の歯垢及び歯石の除去及び抑制用の組成物は、
ａ）純粋アスコルビン酸と、
ｂ）エナメル質補修構成要素と、
ｃ）水とを含むことを要旨とする。
この場合、エナメル質補修構成要素がヒドロキシアパタイトあってもよく、さらにこのヒドロキシアパタイトは純粋アスコルビン酸によって引き起こされた歯の損傷を補修するものである。ヒドロキシアパタイトは、約０．５重量％までの量で含まれる。また、上記の組成物は、口腔洗浄剤及び口腔スプレーのいずれか一方の形態にある。さらに、
ａ）グリセリン、
ｂ）高分子、
ｃ）クエン酸亜鉛、
ｄ）サッカリンナトリウム、
ｅ）安息香酸ナトリウム、
ｆ）香味料、及びそれらの組み合わせから成る群から選択された成分をさらに含有することもある。
さらなる実施形態によると、本発明の歯垢及び歯石の除去及び抑制用の組成物は、
ａ）純粋アスコルビン酸と、
ｂ）エナメル質補修構成要素と、
ｃ）アルコールとを含むことを要旨とする。エナメル質補修構成要素はヒドロキシアパタイトであってもよく、ヒドロキシアパタイトは、前記純粋アスコルビン酸によって引き起こされた歯の損傷を補修する。上記の組成物は、口腔洗浄剤及び口腔スプレーのいずれか一方の形態であってもよい。さらに、この組成物は、
ａ）水、
ｂ）グリセリン、
ｃ）高分子、
ｄ）クエン酸亜鉛、
ｅ）サッカリンナトリウム、
ｆ）安息香酸ナトリウム、
ｇ）香味料、及びそれらの組み合わせから成る群から選択された成分をさらに含むものであってもよい。
本発明のさらなる実施形態は、歯垢及び歯石を除去及び抑制するための方法であって、ａ）歯垢及び歯石を除去して抑制するために効果的な量の、歯磨き粉及び練り歯磨きのいずれか一方の形態の、純粋アスコルビン酸及びヒドロキシアパタイトを口内に入れるステップと、
ｂ）歯垢及び歯石を除去して抑制するために十分な時間、前記純粋アスコルビン酸を口内に保持するステップと、
ｃ）前記歯磨き粉及び練り歯磨きのいずれか一方を吐き出すステップと、
ｄ）口を水ですすぐステップと、
ｅ）前記水を吐き出すステップとを備える方法に関する。
歯垢及び歯石をさらに除去するために歯科用具を使用するステップをさらに備えていてもよい。また、前記歯磨き粉及び練り歯磨きのいずれか一方が、燐酸三カルシウム、メントール粉末、クエン酸亜鉛、過酸化炭酸ナトリウム、含水シリカ、サッカリンナトリウム、フッ化物、香味料及びそれらの組み合わせから成る群から選択された成分をさらに含有するものであってもよい。
本発明のさらなる実施形態は、歯垢及び歯石を除去及び抑制するための方法であって、ａ）歯垢及び歯石を除去して抑制するために効果的な量の、口腔洗浄剤及び口腔スプレーのいずれか一方の形態の、純粋アスコルビン酸及びヒドロキシアパタイトを口内に入れるステップと、
ｂ）歯垢及び歯石を除去して抑制するために十分な時間、前記口腔洗浄剤及び口腔スプレーのいずれか一方を、口内に保持するステップと、
ｃ）前記口腔洗浄剤及び口腔スプレーのいずれか一方を吐き出すステップと、
ｄ）口を水ですすぐステップと、
ｅ）前記水を吐き出すステップとを備える方法に関する。
前記口腔洗浄剤及び口腔スプレーのいずれか一方は、グリセリン、高分子、クエン酸亜鉛、サッカリンナトリウム、安息香酸ナトリウム、フッ化物、香味料、及びそれらの組み合わせから成る群から選択された成分をさらに含有するものであってもよい。
本発明のさらなる実施形態は、ａ）歯垢及び歯石を除去及び抑制するための方法であって、前記方法が、歯垢及び歯石を除去して抑制するために効果的な量の、ガム形態の純粋アスコルビン酸及びヒドロキシアパタイトを、口内に入れるステップと、
ｂ）歯垢及び歯石を除去して抑制するために十分な時間、前記ガムをかむステップとを備える方法に関する。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
ナタリズマブを使用して、炎症性疾患または自己免疫疾患を有する患者を治療することに関連するリスク因子を検出する方法であって、以下の工程：
（a）  炎症性疾患または自己免疫疾患のいずれかの疾患を有する患者であって医薬的有効量のナタリズマブを投与された患者から得られたサンプルを、進行性多病巣性白質脳障害の指標についてモニタリングし；そして
（b）  進行性多病巣性白質脳障害の指標の存在を調べること；
を含み、ここで、モニタリングにより、治療の安全性を向上させる、前記方法。
【請求項２】
疾患が多発性硬化症である、請求項1に記載の方法。
【請求項３】
多発性硬化症が、再発寛解型多発性硬化症、二次進行型多発性硬化症、一次進行型多発性硬化症、および慢性進行型多発性硬化症から選択される、請求項2に記載の方法。
【請求項４】
疾患が、炎症性腸疾患または関節リウマチである、請求項1に記載の方法。
【請求項５】
炎症性腸疾患がクローン病である、請求項4に記載の方法。
【請求項６】
モニタリングにより、患者から得られた尿、血液、および／または脳脊髄液サンプル中のJCVを検出する、請求項1に記載の方法。
【請求項７】
モニタリングが、連続的に患者から取り出した血液サンプル中のJCVに対するIgG抗体量を測定し、そしてサンプル中の抗体量を比較することを含む、請求項6に記載の方法。
【請求項８】
モニタリングが、サンプル中のJCVに対するIgM抗体量を測定し、そしてサンプル中のIgM抗体量とIgG抗体量とを比較すること、をさらに含む、請求項7に記載の方法。
【請求項９】
モニタリングが、セロコンバージョンおよび／または患者から得られたの尿サンプルおよび／または血液サンプル中のJCVの増加性の力価を検出し、そして
連続的な尿サンプルおよび／または血液サンプルの比較から、セロコンバージョンおよび／またはJCVの増加性の力価が検出される場合に、患者から得られた脳脊髄液サンプルをJCVの存在について試験すること；
をさらに含む、請求項7に記載の方法。
【請求項１０】
モニタリングが、進行性多病巣性白質脳障害の臨床的症候および／または放射線学的症候について試験することを含む、請求項1に記載の方法。
【請求項１１】
臨床的症候についての試験が、新規のまたは進行性の神経学的症候について試験することを含む、請求項10に記載の方法。
【請求項１２】
神経学的症候が、1またはそれ以上の中枢盲、精神錯乱、人格変化、および運動障害を含む、請求項11に記載の方法。
【請求項１３】
放射線学的症候についての試験が、Gd-活性化磁気共鳴画像スキャンを行うことを含む、請求項11に記載の方法。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
ホルモテロールおよびブデソニドと薬学的に受容可能なキャリアとを含む、ｐＨが３．５〜５．５に緩衝された２．２ｍｌ以下の無菌液状処方物を含有する、充填されたアンプルであって、該アンプルが、１０から１５μｇのホルモテロールおよび０．４０から０．７０ｍｇのブデソニドを含有する、アンプル。
【請求項２】
２．０ｍｌの前記処方物を含有する、請求項１に記載の充填されたアンプル。
【請求項３】
１．０から２ｍｌの前記処方物を含有する、請求項１に記載の充填されたアンプル。
【請求項４】
慢性閉塞性肺疾患（ＣＯＰＤ）または喘息の治療のための薬剤の製造における、薬学的に受容可能なキャリア中にホルモテロールおよびブデソニドを含む、ｐＨが３．５〜５．５に緩衝された処方物の使用であって、該薬剤が、２．２ｍｌ以下の該処方物を含有するアンプルをネブライザーを介して投与するのに適しており、そして該アンプルが、１０から１５μｇのホルモテロールおよび０．４０から０．７０ｍｇのブデソニドを含有する、使用。
【請求項５】
前記アンプルが、０．５ｍｌ以上の前記処方物を含有する、請求項４に記載の使用。
【請求項６】
前記アンプルが、１．０から２ｍｌの前記処方物を含有する、請求項４に記載の使用。
【請求項７】
前記アンプルが、１．５から２ｍｌの前記処方物を含有する、請求項４に記載の使用。
【請求項８】
前記処方物が無菌である、請求項４から７のいずれかに記載の使用。
【請求項９】
前記処方物が、１回単位用量として供給される、請求項４から８のいずれかに記載の使用。
【請求項１０】
前記単位用量の取り出し可能な容量が、１２μｇのホルモテロールおよび０．５ｍｇのブデソニドを含む、請求項９に記載の使用。
【請求項１１】
ＣＯＰＤまたは喘息の治療のためのネブライザー処方物の使用に際する患者のコンプライアンスを高めるための薬剤の製造における、薬学的に受容可能なキャリア中にホルモテロールおよびブデソニドを含み、ｐＨが３．５〜５．５に緩衝された処方物の使用であって、該アンプルが、２．２ｍｌ以下でありかつ０．３ｍｌ以上の該処方物を含有し、そして該アンプルが、１０から１５μｇのホルモテロールおよび０．４０から０．７０ｍｇのブデソニドを含有する、使用。
【請求項１２】
前記アンプルが、２ｍｌ以下でありかつ０．５ｍｌ以上の前記処方物を含有する、請求項１１に記載の使用。
【請求項１３】
前記処方物が無菌である、請求項１１から１２のいずれかに記載の使用。
【請求項１４】
ＣＯＰＤを治療するための、請求項１１から１３のいずれかに記載の使用。
【請求項１５】
喘息を治療するための、請求項１１から１３のいずれかに記載の使用。
【請求項１６】
キットであって、
（１）治療に効果的な量のホルモテロールおよびブデソニドと薬学的に受容可能なキャリアとの、ｐＨが３．５〜５．５に緩衝された２．２ｍｌ以下の容量の無菌１回単位用量を含有する容器であって、該単位用量の取り出し可能な容量が、１２μｇのホルモテロールおよび０．５ｍｇのブデソニドを含む、容器；および
（２）該用量がＣＯＰＤまたは喘息の治療のためにネブライザーでどのように使用されるべきかの説明書
を含む、キット。
【請求項１７】
前記説明書が、前記１回単位用量が、以前から公知の処方物より少ない時間で投与され得ることを説明している、請求項１６に記載のキット。
【請求項１８】
前記説明書が、患者は、前記用量の投与を該用量の全体が投与されるまで続けるべきであると説明している、請求項１６または１７に記載のキット。
【請求項１９】
前記１回単位用量が２．０ｍｌの容量である、請求項１６、１７または１８に記載のキット。
【請求項２０】
高効率ネブライザーを用いて前記用量を送達するための説明書を含む、請求項１６から１９のいずれかに記載のキット。
【請求項２１】
前記ネブライザーが、ジェットネブライザーである、請求項２０に記載のキット。
【請求項２２】
少なくとも２５個の前記１回単位用量を含む、請求項１６から２１のいずれかの項に記載のキット。
【請求項２３】
少なくとも１２０個の前記１回単位用量を含む、請求項２２に記載のキット。
【請求項２４】
滅菌されたホルモテロールと滅菌されたブデソニドとを、窒素ガス下で混合する工程、および１以上のアンプルに、１つのアンプルにつき２．２ｍｌ以下の処方物を充填する工程を含む、無菌ネブライザー処方物の製造方法であって、各アンプルの取り出し可能な容量が、１２μｇのホルモテロールおよび０．５ｍｇのブデソニドを含む、方法。
【請求項２５】
以下の工程：
（１）ホルモテロールの無菌溶液を調製する工程、
（２）ブデソニドの無菌懸濁液を調製する工程、および
（３）該溶液と該懸濁液とを、窒素下で混合する工程、
を含む、請求項２４に記載の方法。
【請求項２６】
前記無菌溶液を、ホルモテロール溶液を窒素を収容する無菌タンクの中へフィルター通過させることによって調製する工程を含む、請求項２５に記載の方法。
【請求項２７】
界面活性剤を無菌タンクの中へフィルター通過させる工程、無菌微粉ブデソニドを該タンクの中へ通過させる工程、および該界面活性剤と該ブデソニドとを混合する工程を含む、請求項２５または２６に記載の方法。
【請求項２８】
前記微粉ブデソニドが、急速加熱処理または溶媒処理によって滅菌される、請求項２７に記載の方法。
【請求項２９】
前記処方物が、ｐＨが３．５〜５．５に緩衝される、請求項２４から２８のいずれかに記載の方法。
【請求項３０】
ブローフィルシール法によって無菌アンプルに前記処方物を充填する工程を含む、請求項２４から２９のいずれかに記載の方法。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
オキサリプラチンを含むミセルを形成する方法であって、オキサリプラチンの有効量及び負に荷電したホスファチジールグリセロールを溶媒に混合させることを含む方法。
【請求項２】
請求項１に定義されたオキサリプラチンミセルを前もってつくられたリポソーム又はリピッドと混合することを含むオキサリプラチンをリポソームへカプセル化する方法。
【請求項３】
オキサリプラチンをリポソーム中にカプセル化する方法であって、次の工程：
（ｅ）オキサリプラチンの有効量と負に荷電したホスファチジールグリセロールを溶媒と混ぜ合せることによる、オキサリプラチンを含むミセルを形成する工程、および、
（ｆ）前もってつくられたリポソーム又はリピッドにオキサリプラチンミセルを混ぜ合わせる工程、
を含む方法。
【請求項４】
請求項１の方法により得られたミセル。
【請求項５】
オキサリプラチンの有効量と負に荷電したホスファチジールグリセロールリピッドを含むミセル。
【請求項６】
請求項２又は３に記載の方法により得られたオキサリプラチンを含むリポソーム。
【請求項７】
オキサリプラチンの有効量を含むリポソームであって、前記リポソームの内層と外層が異なるリピッドを含むリポソーム。
【請求項８】
癌治療用薬剤の製造における請求項５乃至７のいずれか１項に記載のリポソームの使用。
【請求項９】
オキサリプラチンの有効量、別の抗癌剤、又は抗癌遺伝子及び負に荷電したホスファチジールグリセロールリピッドを含むリポソーム。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
癌治療に対して細胞を感作する医薬の製造のための、ＲＰＳ２７Ｌタンパク質をコードする核酸の活性を調節することが可能な化合物の使用方法。
【請求項２】
前記細胞が真核細胞である請求項１に記載の使用方法。
【請求項３】
前記細胞が哺乳類細胞である請求項２に記載の使用方法。
【請求項４】
前記哺乳類細胞がヒト、マウス、ラット、イヌ、ネコ、ブタ、またはウシに由来する請求項３に記載の使用方法。
【請求項５】
前記ＲＰＳ２７Ｌタンパク質をコードする前記核酸の活性を調節することが可能な化合物が、少なくとも一種類のオリゴヌクレオチドを含む、請求項１〜４のいずれかに記載の使用方法。
【請求項６】
前記オリゴヌクレオチドがＲＮＡ干渉剤またはアンチセンス・ヌクレオチド分子である請求項５に記載の使用方法。
【請求項７】
前記ＲＮＡ干渉剤が干渉リボ核酸である請求項６に記載の使用方法。
【請求項８】
前記干渉リボ核酸がｓｉＲＮＡまたはｓｈＲＮＡである請求項７に記載の使用方法。
【請求項９】
前記ｓｈＲＮＡが配列番号１で表されるヌクレオチド配列を含む、請求項８に記載の使用方法。
【請求項１０】
少なくとも一種類の化学療法剤が前記癌治療に用いられる請求項１〜９のいずれかに記載の使用方法。
【請求項１１】
前記癌治療が化学療法である請求項１０に記載の使用方法。
【請求項１２】
前記化学療法剤が、アルキル化剤、代謝拮抗剤、抗有糸分裂剤、トポイソメラーゼ抑制剤、白金誘導体、ホルモン療法、シグナル伝達阻害剤、モノクローナル抗体、生物応答調節剤、及び分化誘導剤からなる群から選択される請求項１０または１１に記載の使用方法。
【請求項１３】
前記化学療法剤が、アドリアマイシン（ドキソルビシン）、ニュートリン３、リン酸エトポシド、および５−フルオロウラシルからなる群から選択される請求項１２に記載の使用方法。
【請求項１４】
癌治療に対して細胞を感作する医薬の製造のための、ＲＰＳ２７Ｌタンパク質の活性を阻害することが可能な化合物の使用方法。
【請求項１５】
前記細胞が真核細胞である請求項１４に記載の使用方法。
【請求項１６】
前記細胞が哺乳類細胞である請求項１４または１５に記載の使用方法。
【請求項１７】
少なくとも一種類の化学療法剤が前記癌治療に用いられる請求項１４〜１６のいずれかに記載の使用方法。
【請求項１８】
前記癌治療が化学療法である請求項１７に記載の使用方法。
【請求項１９】
前記化学療法剤が、アルキル化剤、代謝拮抗剤、抗有糸分裂剤、トポイソメラーゼ抑制剤、白金誘導体、ホルモン療法、シグナル伝達阻害剤、モノクローナル抗体、生物応答調節剤、及び分化誘導剤からなる群から選択される請求項１７または１８に記載の使用方法。
【請求項２０】
前記化学療法剤が、アドリアマイシン（ドキソルビシン）、ニュートリン３、リン酸エトポシド、および５−フルオロウラシルからなる群から選択される請求項１９に記載の使用方法。
【請求項２１】
請求項５〜９のいずれかで定義された少なくとも一種類のオリゴヌクレオチドを含む発現ベクター。
【請求項２２】
請求項６〜９のいずれかで定義された少なくとも一種類のＲＮＡ干渉剤あるいは請求項６に記載の少なくとも一種類のアンチセンス・ヌクレオチド分子を含む医薬組成物。
【請求項２３】
少なくとも一種類のＲＮＡ干渉剤と少なくとも一種類のアンチセンス・ヌクレオチド分子とを含む請求項２２に記載の医薬組成物。
【請求項２４】
請求項１０〜１３または１７〜２０のいずれかに示す少なくとも一種類の化学療法剤をさらに含む請求項２２または２３に記載の医薬組成物。
【請求項２５】
医薬として許容し得る送達担体をさらに含む請求項２２〜２４のいずれかに記載の医薬組成物。
【請求項２６】
調製するためのＲＰＳ２７Ｌタンパク質をコードする核酸の活性を調節または阻害することが可能な化合物を含む、癌治療に対して細胞を感作する医薬組成物。
【請求項２７】
癌治療に対して細胞を感作する薬物を調製するためのＲＰＳ２７Ｌタンパク質をコードする核酸の活性を調節する化合物の使用方法。